(57)【特許請求の範囲】
【請求項１】
情報を記憶するＩＣ回路部及びこのＩＣ回路部に接続されたタグ側アンテナを備えた無線タグ回路素子と無線通信により情報の送受信を行う装置側アンテナと、
物品に関連して取り扱われる前記無線タグ回路素子の識別情報を、前記装置側アンテナを介した無線通信により取得する情報取得手段と、
この情報取得手段で取得した複数の前記識別情報を、予め定められた条件が満たされるごとに自動的に少なくともひとつの識別情報群として関連付ける群化処理手段と、
この群化処理手段で関連付けられた前記識別情報群又は各識別情報群を表す識別子を、出力する出力手段とを有することを特徴とする無線タグ情報通信装置。
【請求項２】
請求項１記載の無線タグ情報通信装置において、
前記出力手段は、前記群化処理手段でそれぞれ関連付けられた複数の前記識別情報群又は複数の識別子を記憶するための記憶手段に出力することを特徴とする無線タグ情報通信装置。
【請求項３】
請求項２記載の無線タグ情報通信装置において、
前記群化処理手段は、前記複数の識別情報を、前記情報取得手段において繰り返し取得されたときの当該頻度情報に応じ、前記識別情報群として関連付けることを特徴とする無線タグ情報通信装置。
【請求項４】
請求項３記載の無線タグ情報通信装置において、
前記群化処理手段は、前記複数の識別情報を、それぞれの日付情報に基づき、第１の日付情報に関わる前記頻度情報に応じて前記識別情報群として関連付けるとともに、第２の日付情報に関わる前記頻度情報に応じて別の前記識別情報群として関連付けることを特徴とする無線タグ情報通信装置。
【請求項５】
請求項２乃至４のいずれか１項記載の無線タグ情報通信装置において、
前記記憶手段に記憶された若しくは対応する前記識別子が記憶された複数の前記識別情報群のうち、新たに前記情報取得手段で取得された複数の前記識別情報に対応する識別情報群を検索し抽出する検索手段を有することを特徴とする無線タグ情報通信装置。
【請求項６】
請求項５記載の無線タグ情報通信装置において、
前記検索手段は、前記記憶手段に予め書き換え不能に記憶された複数の前記識別情報群又は前記識別子のうち、前記新たに取得された複数の識別情報に対応する識別情報群又は識別子を検索し抽出可能に構成されていることを特徴とする無線タグ情報通信装置。
【請求項７】
請求項５又は６記載の無線タグ情報通信装置において、
前記検索手段は、前記記憶手段に記憶された若しくは対応する前記識別子が記憶された複数の前記識別情報群のうち、新たに前記情報取得手段で取得された複数の前記識別情報に対応する複数の識別情報群を一緒に検索し抽出可能に構成されていることを特徴とする無線タグ情報通信装置。
【請求項８】
請求項５乃至７のいずれか１項記載の無線タグ情報通信装置において、
前記新たに取得された複数の識別情報に対応するものとして前記検索手段で抽出された抽出識別情報群に関わる情報を表示するための抽出結果表示信号を生成する第１表示信号生成手段を有することを特徴とする無線タグ情報通信装置。
【請求項９】
請求項８記載の無線タグ情報通信装置において、
前記新たに取得された複数の識別情報と、これに対応するものとして抽出された前記抽出識別情報群との関連性の大小に関する情報を表示するための対応付け表示信号を生成する第２表示信号生成手段を有することを特徴とする無線タグ情報通信装置。
【請求項１０】
請求項９記載の無線タグ情報通信装置において、
前記関連性を増大させるために、前記新たに取得された複数の識別情報にさらに関連付けるべき少なくとも１つの被関連識別情報に関する情報を表示するための被関連識別情報信号を生成する第３表示信号生成手段を有することを特徴とする無線タグ情報通信装置。
【請求項１１】
請求項１乃至１０のいずれか１項記載の無線タグ情報通信装置において、
前記情報取得手段は、情報取得対象の前記無線タグ回路素子が前記装置側アンテナから所定距離範囲内に到達したら自動的に当該無線タグ回路素子にアクセスしその前記識別情報を取得することを特徴とする無線タグ情報通信装置。
【請求項１２】
請求項１乃至１１のいずれか１項記載の無線タグ情報通信装置において、
建造物の出入口近傍か、若しくは前記物品の収納部材か、若しくは携帯端末に設けられていることを特徴とする無線タグ情報通信装置。
【発明の詳細な説明】
【技術分野】
【０００１】
本発明は、外部より無線通信を介し無線タグ回路素子に対し情報の読み取り又は書き込みを行う無線タグ情報通信装置に関するものである。
【背景技術】
【０００２】
従来、携帯する物品等、その携帯者と密接に関連づけられる物品の管理を、無線タグを用いて適正にかつ軽い負担で行う無線タグ情報通信装置が知られている（例えば、特許文献１参照）。この従来技術では、物品の携帯者の携帯する物品に添付された無線タグを探査手段で探査することによって携帯者の持ち出した物品を検出した後、その検出した物品が予め作成された物品リストと比較照合され、リストからの不足分があれば物品の紛失を報知するようになっている。
【特許文献１】特開２００２−１６３３０１号公報
【発明の開示】
【発明が解決しようとする課題】
【０００３】
しかしながら、上記従来技術においては、利用者（操作者）は、照合用の物品リストを作成するために、最初に、自ら自己の携帯する（予定の）物品をひとつひとつ予め登録しなければならないため、操作者の負担や労力が大きくなって利便性が低下していた。
【０００４】
本発明の目的は、操作者側が自ら入力や登録等の各種操作を行わなくても、操作者に係わる物品の管理を確実に行うことができる無線タグ情報通信装置に関するものである。
【課題を解決するための手段】
【０００５】
上記目的を達成するために、本願第１発明は、情報を記憶するＩＣ回路部及びこのＩＣ回路部に接続されたタグ側アンテナを備えた無線タグ回路素子と無線通信により情報の送受信を行う装置側アンテナと、物品に関連して取り扱われる前記無線タグ回路素子の識別情報を、前記装置側アンテナを介した無線通信により取得する情報取得手段と、この情報取得手段で取得した複数の前記識別情報を、予め定められた条件が満たされるごとに自動的に少なくともひとつの識別情報群として関連付ける群化処理手段と、この群化処理手段で関連付けられた前記識別情報群又は各識別情報群を表す識別子を、出力する出力手段とを有することを特徴とする。
【０００６】
本願第１発明においては、各種の物品に対し無線タグ回路素子が添付、同梱、縫込み等関連して取り扱われるようになっており、その無線タグ回路素子の識別情報が無線通信によって情報取得手段で取得される。このようにして複数の物品について識別情報が取得されていき、その複数の識別情報が所定の条件を満たすようになると、自動的に群化処理手段によってひとつの識別情報群として関連付けられる。そしてその識別情報群（又はこれを表す識別子）が出力手段で出力され、例えば記憶手段へと書き込まれる。このように、次々と取得される識別情報を自動的に関連付けて群化し記憶させ蓄積することにより、その後新たに識別情報が取得された際、当該識別情報を既に蓄積された識別情報群と照合して、その識別情報群に共通に対応付けられる操作者側の用途、状況等に基づき、今回取得された識別情報についてもその用途等に対応するものであると類推し、その用途等に適するような表示等の所定の処理を行うことが可能となる。この結果、操作者側が自ら入力や登録等の各種操作を行わなくても無線タグ情報通信装置側で自動的にデータ蓄積を行うとともに、その蓄積データを利用し先回りして操作者側の用途等に適応した処理を実行してくれるので、操作者の負担や労力を大きくすることなく高い利便性で物品管理を行うことができる。
【０００７】
第２発明は、上記第１発明において、前記出力手段は、前記群化処理手段でそれぞれ関連付けられた複数の前記識別情報群又は複数の識別子を記憶するための記憶手段に出力することを特徴とする。
【０００８】
自動的に関連付けて群化された複数の識別情報群（又はそれぞれを表す識別子）を記憶手段へと出力して書き込み、記憶させ蓄積することにより、その後新たに識別情報が取得された際、その識別情報を上記既に蓄積された複数の識別情報群と照合して、その用途等に適するような表示等の所定の処理を行うことができる。
【０００９】
第３発明は、上記第２発明において、前記群化処理手段は、前記複数の識別情報を、前記情報取得手段において繰り返し取得されたときの当該頻度情報に応じ、前記識別情報群として関連付けることを特徴とする。
【００１０】
これにより、操作者側が自ら入力や登録等の各種操作を行わなくても、無線タグ情報通信装置側で識別情報の取得頻度情報に応じて例えば頻度がある値以上になったら自動的にデータ蓄積を行い、操作者の負担や労力を確実に低減することができる。
【００１１】
第４発明は、上記第３発明において、前記群化処理手段は、前記複数の識別情報を、それぞれの日付情報に基づき、第１の日付情報に関わる前記頻度情報に応じて前記識別情報群として関連付けるとともに、第２の日付情報に関わる前記頻度情報に応じて別の前記識別情報群として関連付けることを特徴とする。
【００１２】
これにより、操作者の行動パターンが平日と休日とで異なる場合であっても、これに添った形で識別情報群としての関連付けを行うことができる。
【００１３】
第５発明は、上記第２乃至第４発明のいずれかにおいて、前記記憶手段に記憶された若しくは対応する前記識別子が記憶された複数の前記識別情報群のうち、新たに前記情報取得手段で取得された複数の前記識別情報に対応する識別情報群を検索し抽出する検索手段を有することを特徴とする。
【００１４】
新たに情報取得手段で識別情報が取得された際、当該識別情報に対応する識別情報群を検索手段で検索し抽出することにより、その識別情報群に共通に対応付けられる操作者側の用途、状況等に基づき、今回取得された識別情報についてもその用途等に対応するものであると類推することができる。この結果、当該新たに取得された識別情報に対し、その用途等に適するような表示等の所定の処理を行うことが可能となり、操作者の負担や労力を大きく低減し高い利便性を得ることができる。
【００１５】
第６発明は、上記第５発明において、前記検索手段は、前記記憶手段に予め書き換え不能に記憶された複数の前記識別情報群又は前記識別子のうち、前記新たに取得された複数の識別情報に対応する識別情報群又は識別子を検索し抽出可能に構成されていることを特徴とする。
【００１６】
情報取得手段で新たに取得した複数の識別情報に基づき検索手段が検索する時に、予め記憶手段に書き換え不能に記憶された識別情報群（又は識別子）を利用可能とすることにより、例えば、稼動初期にてデータ蓄積が必ずしも十分でないときでも、記憶手段に典型例として用意された識別情報群（又は識別子）を用いて円滑に検索抽出及びその後の処理を行うことができる。
【００１７】
第７発明は、上記第５又は第６発明において、前記検索手段は、前記記憶手段に記憶された若しくは対応する前記識別子が記憶された複数の前記識別情報群のうち、新たに前記情報取得手段で取得された複数の前記識別情報に対応する複数の識別情報群を一緒に検索し抽出可能に構成されていることを特徴とする。
【００１８】
これにより、情報取得手段で新たに取得された識別情報が比較的多数であったりあるいはそのために複数の識別情報群にわたるものであったりした場合でも、的外れな検索や抽出を行ったりエラーとなってしまうのを回避しつつ、素早い円滑な処理を実行することができる。
【００１９】
第８発明は、上記第５乃至第７発明のいずれかにおいて、前記新たに取得された複数の識別情報に対応するものとして前記検索手段で抽出された抽出識別情報群に関わる情報を表示するための抽出結果表示信号を生成する第１表示信号生成手段を有することを特徴とする。
【００２０】
これにより、新たに取得された複数の識別情報についての検索抽出結果として、当該識別情報がどのような用途等の識別情報群に属するものと類推されたかを操作者側に表示し報知することができる。
【００２１】
第９発明は、上記第８発明において、前記新たに取得された複数の識別情報と、これに対応するものとして抽出された前記抽出識別情報群との関連性の大小（あてはまりの確からしさ）に関する情報を表示するための対応付け表示信号を生成する第２表示信号生成手段を有することを特徴とする。
【００２２】
これにより、新たに取得された識別情報の属する識別情報群を類推した際の、例えばその類推の該当確率や根拠等を操作者側に表示し報知することができる。）
【００２３】
第１０発明は、上記第９発明において、前記関連性を増大させるために、前記新たに取得された複数の識別情報にさらに関連付けるべき少なくとも１つの被関連識別情報に関する情報を表示するための被関連識別情報信号を生成する第３表示信号生成手段を有することを特徴とする。
【００２４】
これにより、新たに取得された識別情報に対する類推に基づき、例えば、買い物のときの買い忘れ物（欠品）の存在の可能性や、出かけるときの忘れ物の存在の可能性や、当初は持ち歩いていた物でその後落したあるいは盗難にあった可能性等を、操作者側に表示し報知することができる。
【００２５】
第１１発明は、上記第１乃至第１０発明のいずれかにおいて、前記情報取得手段は、情報取得対象の前記無線タグ回路素子が前記装置側アンテナから所定距離範囲内に到達したら自動的に当該無線タグ回路素子にアクセスしその前記識別情報を取得することを特徴とする。
【００２６】
所定範囲内で識別情報を自動取得させることにより、操作者側による読み取り操作等の必要がなく、操作者の負担や労力を確実に低減することができる。
【００２７】
第１２発明は、上記第１乃至第１１発明のいずれかにおいて、建造物の出入口近傍か、若しくは前記物品の収納部材か、若しくは携帯端末に設けられていることを特徴とする。
【００２８】
これにより、例えば物品を所持した状態で建造物を出入りしたときや、収納部材に物品を収納したとき、あるいは物品を携帯端末の近くに置いたとき等に、物品に対応した無線タグ回路素子の識別情報を無線通信によって情報取得手段で取得することができる。
【発明の効果】
【００２９】
本発明によれば、操作者側が自ら入力や登録等の各種操作を行わなくても、操作者に係わる物品の管理を確実に行うことができるので、負担や労力を大きく低減して利便性を向上することができる。
【発明を実施するための最良の形態】
【００３０】
以下、本発明の第１の実施形態を図面を参照しつつ説明する。本実施形態では、利用者が建造物（例えば自宅、店舗、オフィス等）の扉、玄関口等のゲートを通過する際に、忘れ物があれば利用者にその不足物品を通知するものである。
【００３１】
図１は、本実施形態の無線タグ情報通信装置を建造物の出入口近傍に設けた状態を示す外観図である。図１に示すように、出入口１０近傍の扉１２には、無線タグ情報通信装置１００が取り付けられている。この無線タグ情報通信装置１００は、所定のタイミングに、利用者Ｌのバッグ１６内に存在する物品毎に関連して取り扱われる無線タグ回路素子（後述の図２参照）を探す処理を行って、無線タグ回路素子の識別情報（タグＩＤ）を自動で取得する。そして、無線タグ情報通信装置１００は、日々自動で取得した識別情報の中から所定条件（後述）に基づき識別情報群とされた識別情報の組み合わせ（言い換えれば物品の組み合わせ）と、現在バッグ１６内に存在する各物品の識別情報とを比較して、不足している物品を不足物品として抽出し、音声や表示を用いて、不足物品を忘れ物として利用者Ｌに通知するようになっている（詳細は後述）。
【００３２】
図２は、無線タグ情報通信装置１００と、利用者Ｌのバッグ１６内に存在する物品に設けられた無線タグ回路素子との通信の様子を概念的に表す機能ブロック図である。図２において、利用者Ｌのバッグ１６内に、利用者Ｌの定期券、財布、眼鏡、ポーチ、会社などの入門証、携帯電話等が入れられており、またそれら定期券、財布、眼鏡、ポーチ、入門証には、無線タグ回路素子（詳細は後述）を備えた無線タグＴ１，Ｔ２，Ｔ３，Ｔ４，Ｔ５，Ｔ６がそれぞれ関連して取り扱われる（添付、貼付、容器に取付、同梱等）ようになっている。
【００３３】
無線タグ情報通信装置１００は、各種情報を搬送する電波の入出力を行うアンテナ１３０（装置側アンテナ）と、アンテナ１３０に対して送受信信号の入出力を行う制御部１２０とを備えている。無線タグ情報通信装置１００は、有線又は無線による通信ネットワークＮＷを介して、識別情報、識別情報群、識別子等の各種情報を例えば建造物内の部屋３０５内に設置した端末３００との間で送受信することが可能となっている。
【００３４】
図３は、端末３００と無線タグ情報通信装置１００の接続構成を概略的に表す図である。図３における端末３００は、例えばパソコンで構成されており、操作部３００Ａと、表示部３００Ｂと、ＣＰＵやＲＯＭやＲＡＭ（いずれも図示省略）を備えた本体部３００Ｃとを備えている。操作部３００Ａは、操作入力手段として適宜のキー、ボタン、スイッチ、パッド等を備えており、必要に応じて、識別情報、識別情報群、識別子等の各種情報を追加入力したり、修正入力することが可能となっている。
【００３５】
またこの端末３００には、例えば上記各物品に添付等された無線タグＴ１〜Ｔ６等の作成時において、当該物品の物品情報（物品名称、所有者等）とこれに対応する無線タグ回路素子Ｔoの識別情報（タグＩＤ）とが、関連づける形で格納保持された、データベース（物品情報データベース）を備えた記憶装置（図示せず）が設けられており、無線タグ情報通信装置１００側からアクセスすることで識別情報から物品情報を取得できるようになっている。なお、この物品情報データベースは端末３００内に限られず、ネットワークＮＷを介し接続された別の記憶装置内に設けても良い。
【００３６】
図４は、利用者Ｌのバッグ１６内に存在する物品に関連する無線タグＴに備えられた各無線タグ回路素子Ｔoの機能的構成の一例を表すブロック図である。
【００３７】
図４に示す無線タグ回路素子Ｔoは、無線タグ情報通信装置１００のアンテナ１３０とＵＨＦ帯等の高周波を用いて非接触で信号の送受信を行うアンテナ１５１(タグ側アンテナ)と、このアンテナ１５１に接続されたＩＣ回路部１５０とを有している。
【００３８】
ＩＣ回路部１５０は、アンテナ１５１が受信した搬送波を整流する整流部１５２と、この整流部１５２が整流した搬送波のエネルギを蓄積してＩＣ回路部の駆動電源とするための電源部１５３と、上記アンテナ１５１が受信した搬送波からクロック信号を抽出して後述する制御部１５７に出力するクロック抽出部１５４と、所定の情報信号を記憶し得る情報記憶部として機能するメモリ部１５５と、上記アンテナ１５１に接続された変復調部１５６と、上記整流部１５２、クロック抽出部１５４、及び変復調部１５６等を介して上記無線タグ回路素子Ｔoの作動を制御するための制御部１５７とを備えている。
【００３９】
上記無線タグ情報通信装置１００のアンテナ１３０から出力された通信信号は、無線タグ回路素子Ｔoのアンテナ１５１が受信して変復調部１５６に伝達される。変復調部１５６は、アンテナ１５１が受信した通信信号に対して復調を行うと共に、上記制御部１５７からの返信信号に基づき、アンテナ１５１が受信した搬送波を変調し、アンテナ１５１より反射波として再送信する。
【００４０】
制御部１５７は、上記変復調部１５６により復調された受信信号を解釈し、上記メモリ部１５５において記憶された情報信号に基づいて返信信号を生成し、上記変復調部１５６により返信する制御等の基本的な制御を実行する。
【００４１】
クロック抽出部１５４は受信した信号からクロック成分を抽出して制御部１５７にクロックを抽出するものであり、受信した信号のクロック成分の速度に対応したクロックを制御部１５７に供給する。
【００４２】
図５は、無線タグ情報通信装置１００に備えられた前述の制御部１２０の機能的構成の詳細を表す機能ブロック図である。図５において、制御部１２０は、ＣＰＵ（中央演算装置）１２１と、上記ネットワークＮＷを介した信号授受の制御を行うネットワーク通信制御部１２２と、例えばＲＡＭやＲＯＭからなるメモリ１２３と、現在の月日情報や休日情報等からなるカレンダー機能を有するリアルタイムクロック（ＲＴＣ）１２７と、アンテナ１３０を介して無線タグ回路素子Ｔoとの通信制御を行うタグ通信制御部１２４と、第２アンテナ１２８を介して利用者Ｌが所有するＩＣカード１８と無線による通信と認証を行う本人認証制御部１２６と、表示部１４０の表示を制御する表示制御部１２５と、物品の識別情報が記録されている群ファイルＦ２（詳細は後述）の更新を行うか否かの情報等を利用者Ｌが入力する操作部１１０を備えている。なお、ＩＣカード１８の内部構成は公知のもので足りるため詳細な説明を省略するが、例えば無線タグ回路素子Ｔoと同様な回路構成としてもよい。
【００４３】
図６は、上記タグ通信制御部１２４及びアンテナ１３０の詳細構成を表す機能ブロック図である。
【００４４】
タグ通信制御部１２４は、上記アンテナ１３０を介して上記無線タグ回路素子ＴoのＩＣ回路部１５０にアクセスして、識別情報等の各種情報を読み取ったり、基本ファイルＦ１、群ファイルＦ２、識別子等の各種情報を書き込む指令を出力する処理を行うための、高周波回路を用いた送信部２１２及び受信部２１３と、送受分離器２１４とを備えている。ＣＰＵ１２１は、無線タグ回路素子ＴoのＩＣ回路部１５０から取得した信号を処理して識別情報等を読み出すとともに、無線タグ回路素子ＴoのＩＣ回路部１５０に対するアクセス情報を生成する機能を有する。
【００４５】
送信部２１２は、無線タグ回路素子ＴoのＩＣ回路部１５０の無線タグ情報等にアクセスする(読み取り／書き込みを行う)ための搬送波を発生させる搬送波発生部として機能する発振回路２１５と、上記ＣＰＵ１２１から供給される信号に基づいて上記搬送波発生部により発生させられた搬送波を変調（この例ではＣＰＵ１２１からの「ＴＸ＿ＡＳＫ」信号に基づく振幅変調）する送信乗算回路２１６（但し「ＴＸ＿ＡＳＫ信号」の場合は増幅率可変アンプ等を用いてもよい）と、その送信乗算回路２１６により変調された変調波を増幅（この例ではＣＰＵ１２１からの「ＴＸ＿ＰＷＲ」信号によって増幅率を決定される増幅）する増幅率可変送信アンプ２１７とを備えている。そして、上記搬送波発生部により発生される搬送波は、例えば短波帯(13.56MHz等)、ＵＨＦ帯、マイクロ波帯等の高周波を用いており、上記送信アンプ２１７の出力は、送受分離器２１４を介しアンテナ１３０に伝達されて、無線タグ回路素子ＴoのＩＣ回路部１５０に供給される。
【００４６】
受信部２１３は、アンテナ１３０で受信された無線タグ回路素子Ｔoからの反射波と上記発生させられた搬送波とを掛け合わせる受信第１乗算回路２１８と、その受信第１乗算回路２１８の出力から必要な帯域の信号のみを取り出すための第１バンドパスフィルタ２１９と、この第１バンドパスフィルタ２１９の出力を増幅する受信第１アンプ２２１と、この受信第１アンプ２２１の出力をさらに増幅してデジタル信号に変換する第１リミッタ２２０と、上記アンテナ１３０で受信された無線タグ回路素子Ｔoからの反射波と上記発生された後に移相器２２７により位相が９０°遅れた搬送波とを掛け合わせる受信第２乗算回路２２２と、その受信第２乗算回路２２２の出力から必要な帯域の信号のみを取り出すための第２バンドパスフィルタ２２３と、この第２バンドパスフィルタ２２３の出力を増幅する受信第２アンプ２２５と、この受信第２アンプ２２５の出力をさらに増幅してデジタル信号に変換する第２リミッタ２２４とを備えている。そして、上記第１リミッタ２２０から出力される信号「ＲＸＳ−Ｉ」及び第２リミッタ２２４から出力される信号「ＲＸＳ−Ｑ」は、上記ＣＰＵ１２１に入力されて処理される。
【００４７】
また、受信第１アンプ２２１及び受信第２アンプ２２５の出力は、強度検出手段としてのＲＳＳＩ（Received  Signal  Strength  Indicator)回路２２６にも入力され、それらの信号の強度を示す信号「ＲＳＳＩ」がＣＰＵ１２１に入力されるようになっている。このように、タグ通信制御部１２４では、Ｉ−Ｑ直交復調によって無線タグ回路素子Ｔoからの反射波の復調が行われる例を示している。
【００４８】
ＣＰＵ１２１は、ＣＰＵ１２１は、上述した高周波回路受信部２１３からの受信信号、上記操作部１１０からの操作信号や通信ネットワークＮＷを介した端末３００からの信号等を入力した後、所定の演算処理を行い、上述した高周波回路送信部２１２への増幅制御信号及び変調制御信号、表示制御部１２５への画像処理制御信号、その他端末３００への信号等を出力する。また、上記ＣＰＵ１２１は、例えば上記ネットワーク通信制御部１２２（又はそれとは別の入出力インターフェイス）を介し、図示しないルートサーバ、他の端末、汎用コンピュータ、及び情報サーバ等との間で情報のやりとりが可能なように構成してもよい。
【００４９】
なお、前述した本人認証制御部１２６及び第２アンテナ１２８も、上記タグ通信制御部１２４及びアンテナ１３０と同様の構成としてもよい。この場合、本人認証制御部１２６は、上記第２アンテナ１２８を介して上記ＩＣカード１８にアクセスして、識別情報等の各種情報を読み取ったり、基本ファイルＦ１、群ファイルＦ２、識別子等の各種情報を書き込む指令を出力する処理を行うための、高周波回路を用いた送信部２１２及び受信部２１３を備える。ＣＰＵ１２１は、ＩＣカード１８から取得した信号を処理して識別情報等を読み出すとともに、ＩＣカード１８に対するアクセス情報を生成する機能を有することとなる。
【００５０】
ここで、無線タグ情報通信装置１００では、利用者Ｌのバッグ１６内に存在する物品（定期、財布、眼鏡、ポーチ、会社入門証、携帯電話等）に関連して取り扱われた無線タグ回路素子Ｔoとアンテナ１３０を介して無線通信を行い、当該物品をスキャン（探索）することで当該物品等を利用者Ｌが携行しているか否かを検出する。
【００５１】
そして、本実施形態の要部は、上記のような利用者Ｌの携行物品に係わる無線タグ回路素子Ｔoの識別情報（言い換えればそれら物品の物品データ）を、所定条件が満たされるごとに（詳細は後述）ひとつの識別情報群（言い換えれば物品情報群）として関連付け、このように関連付けられた複数の識別情報群を、書込み及び読み出しが可能な記憶装置１２１Ｄ（後述の図８参照）等に書き込み記憶させることにある。以下、そのような詳細内容を順を追って説明する。
【００５２】
図７は、本実施形態の無線タグ情報通信装置１００において、上記関連づけにより識別情報群を生成する手法原理を説明するための説明図である。図７における例では７月１日（金）より当該無線タグ情報通信装置１００による処理を開始した状態を表しており、これ以降、各物品に対応した無線タグ回路素子Ｔoのサーチ結果に基づき検出された、各日における携行物品の一覧が示されている。
【００５３】
すなわち、７月２日（土）、７月３日（日）、…、７月１４日（木）の行は、それぞれの日において利用者Ｌがバッグ１６内に入れて携行した物品（定期、財布、眼鏡、会社入門証、携帯電話等）の携行状況を表している（○はその物品を携行していたことを表し、空欄はその物品を携行していなかったことを表している）。例えば７月１日（金）には、利用者Ｌは定期、財布、ポーチ、会社入門証、携帯電話を携行している。また、次の７月２日（土）及び７月３日（日）は休日であり、利用者Ｌは定期、財布、ポーチ、携帯電話を携行している。
【００５４】
そして、７月３日の携行物品が検出された段階で、休日における所定の条件（詳細は後述）が満たされ、まず定期、財布、ポーチ、携帯電話にそれぞれ対応する無線タグ回路素子Ｔoの識別情報（タグＩＤ）が関連づけられて識別情報群「Mika-Holiday」が形成され、これ以降は、休日外出時にはこの識別情報群「Mika-Holiday」の各要素である識別情報との比較が行われ、不足分がある際には所定の警報が行われる。この例では、７月１０日（日）の外出の際に携帯電話に対応する無線タグ回路素子Ｔoの検出がなく、警告が行われている。
【００５５】
７月４日（月）及び７月５日（火）には、利用者Ｌは、定期、財布、眼鏡、会社入門証、携帯電話を携行しており、次の７月６日（水）には、利用者Ｌは、定期、財布、眼鏡、携帯電話を携行している。
【００５６】
そして、７月６日の携行物品が検出された段階で、平日における所定の条件（詳細は後述）が満たされ、定期、財布、眼鏡、会社入門証、携帯電話にそれぞれ対応する無線タグ回路素子Ｔoの識別情報（タグＩＤ）が関連づけられて識別情報群「Mika-Weekday」が形成され、これ以降は、平日外出時にはこの識別情報群「Mika-Weekday」の各要素である識別情報との比較が行われ、不足分がある際には所定の警報が行われる。この例では、７月１２日（火）の外出の際に会社入門証に対応する無線タグ回路素子Ｔoの検出がなく、警告が行われている。なお、この例では平日（第１の日付情報）と休日（第２の日付情報）とで行動パターンが異なるという前提に立ってそれぞれにおいて識別情報群を分けているが、これに限られず、他の日付情報（１０の倍数の日とそれ以外、国民の休日とそれ以外等）でもよい。
【００５７】
図８は、無線タグ情報通信装置１００の制御部１２０におけるＣＰＵ１２１の機能的構成を表す機能ブロック図である。図８において、ＣＰＵ１２１は、前述した物品（定期、財布、眼鏡、ポーチ、会社入門証、携帯電話等の物品）に係わる無線タグ回路素子Ｔoと無線通信を行い位置をスキャン（探索）する制御を行うタグサーチ部１２１Ａと、後述する基本ファイルＦ１や群ファイルＦ２を書き換え可能に格納保持するデータベース（ファイルデータベース）を構成する記憶装置１２１Ｄ（記憶手段）と、上記スキャンにより検出された物品の識別情報に基づき、上記記憶装置１２１Ｄのデータベースに書き込み処理を行うデータ記録部１２１Ｂと、操作部１１０からの操作信号等に基づき、上記データベース内において所定の検索を行うデータ検索部１２１Ｃと、利用者Ｌが携行している携帯電話やＩＣカード１８等との間で本人認証処理を行う本人認証部１２１Ｅとを備えている。
【００５８】
記憶装置１２１Ｄ内には、この例では、図示のように基本ファイルＦ１、群ファイルＦ２等が例えばフォルダ形式で備えられている。基本ファイルＦ１は、各物品ごとに構成されたデータを収納しており、例えば、上記定期券に関連づけられた無線タグＴ１に係わるデータには、当該無線タグ回路素子Ｔoの識別情報「Mika0001」、所有者を識別する情報「Mika」、物品名称「定期」、平日及び休日の累積経過日数、平日及び休日の当該定期券の携行日数、及び後述のように群化処理されて他の識別情報と関連づけられて識別情報群とされた場合にはその識別情報群の名称（＝識別子）「Weekday」「Holiday」等が記録されている。その他、財布、眼鏡、ポーチ、会社入門証、携帯電話等に関連づけられる上記無線タグＴ２，Ｔ３，Ｔ４，Ｔ５についても、上記同様、それぞれの無線タグ回路素子Ｔoの識別情報「Mika0001」「Mika0002」「Mika0003」「Mika0004」「Mika0005」「Mika0006」、所有者情報「Mika」、物品名称「財布」「眼鏡」「ポーチ」「会社入門証」「携帯電話」等が互いに関連づけられて記録されている。なお、このデータベースは、ＣＰＵ１２１の記憶装置１２１Ｄ内に設けず、別の箇所、例えば通信ネットワークＮＷを介して装置１００外に設けても良いし、上記端末３００内に設けても良い。
【００５９】
群ファイルＦ２には、後述のように群化処理されて他の識別情報と関連づけられて識別情報群とされた場合にその識別情報群ごとに構成されたデータを収納している。例えば後述のように平日外出に係わる識別子「Mika-Weekday」のデータには、当該グループを構成する識別子及びこれに対応する物品名、すなわち、「定期  Mika0001」、「財布  Mika0002」、「眼鏡  Mika0003」、「入門証  Mika0005」、「携帯  Mika0006」が互いに関連付けられて記憶されている。また後述のように休日外出に係わる識別子「Mika-Holiday」のデータには、当該グループを構成する識別子及びこれに対応する物品名、すなわち、「定期  Mika0001」、「財布  Mika0002」、「ポーチ  Mika0004」、「携帯  Mika0006」が互いに関連付けられて記憶されている。
【００６０】
なお、群ファイルＦ２に、無線タグ情報通信装置１００で自ら群化処理して形成した識別情報群以外にも、典型的なパターンとして、予め少なくとも１つの識別情報群（例えば識別子「成人女性外出一般」、「男性幼児外出一般」で表されるもの等）が例えば書き換え不能にプリセットされていてもよい。あるいはそれらプリセットされた識別情報群に対し検索抽出を行って対応するものを読み出した後、それをもとに無線タグ情報通信装置１００が適宜の修正を行って、新たな識別情報群を形成していくようにしても良い。
【００６１】
図９は、上記基本ファイルＦ１における記憶内容の例を一覧して示す図である。前述したように、各物品に係わる識別情報と、これに対応する物品名、所有者、平日携行日数・平日累積経過日数、休日携行日数・休日累積経過日数、所属する上記識別情報群等とが関連づけられることとなる。なお、図中の各値は、先に述べた図７の例に沿うと、平日が４日間、休日が２日間累積経過した７月６日時点の状態に相当している。
【００６２】
図１０は、上記群ファイルＦ２における記憶内容の例を一覧して示す図である。前述したように、各識別情報群に係わる識別子（「Mika-Weekday」「Mika-Holiday」等）と、これに対応する各物品の識別番号とが関連付けられることとなる。
【００６３】
図１１は、上記無線タグ情報通信装置１００に備えられたＣＰＵ１２１が実行する制御手順を表すフローチャートである。
【００６４】
図１１において、まずステップＳ１００で、利用者Ｌが出入口１０近傍の扉１２を通過する際（あるいは直前）に例えば所定の操作（ＩＣカード１８を第２アンテナ１２８にかざす等）を行うことにより、本人認証制御部１２６及び第２アンテナ１２８を介し無線通信による信号送受を行い、利用者Ｌが携行しているＩＣカード１８（あるいは携帯電話等、それ以外の本人認証手段でも良い）に関する本人認証処理を行う。この本人認証処理は、公知の手法で足りるので詳細な説明を省略するが、利用者Ｌの指紋、顔の画像等を用いて行うことも可能である。これにより、本人情報が読み出されて取得される。
【００６５】
その後、ステップＳ１０２に移り、利用者Ｌが（例えばバッグ１６内に入れて）携行する物品に取り付けられている無線タグ回路素子Ｔoの識別情報（タグＩＤ）を読み取って取得する。すなわち、アンテナ１３０より通信距離範囲内（言い換えればバッグ１６内）の無線タグ回路素子Ｔoに対する呼びかけ信号であるPing信号（複数情報取得命令）を出力する。詳細には、「ＴＸ＿ＡＳＫ」信号を生成して送信乗算回路２１６に出力し、送信乗算回路２１６で対応する上記振幅変調が行われアクセス情報としての「Ping」信号となる。一方ＣＰＵ１２１は「ＴＸ＿ＰＷＲ」信号を生成して送信アンプ２１７に出力し、送信アンプ２１７でその「ＴＸ＿ＰＷＲ」信号に基づく増幅率で信号増幅が行われ、最終的にアンテナ１３０を介し送信され、サーチ対象であるバッグ１６内の全無線タグ回路素子Ｔoからのリプライ信号の返信を促す。
【００６６】
上記「Ping」信号等に対応してサーチ対象の無線タグ回路素子Ｔoから送信された返答信号（＝リプライ信号；前述のように少なくともタグ識別情報であるタグＩＤを含む）はアンテナ１３０で受信され、上記受信部２１３を介しＣＰＵ１２１に取り込む（その後メモリ１２３に記憶する）。
【００６７】
なお、上記ステップＳ１００が終了したらステップＳ１０２において（特に利用者Ｌの操作なく）自動的に上記のように読み取り処理を行うようにすることで、利用者Ｌによる読み取り操作等の入力が不要となり、利用者Ｌの負担や労力を低減することができる。
【００６８】
なお詳細には「Ping」信号（探索命令）を送信して階層的に各無線タグ回路素子Ｔoからの応答を受信しBinaryTree方式で数を特定した後にScroll ID信号を送信し上記のようにリプライ信号を受信してIDを確定する。また、上記ステップＳ１００で取得した本人情報に基づき、予めサーチ対象として予想される無線タグ回路素子ＴoのタグＩＤを指定してScroll ID信号を送信するようにしてもよい。
【００６９】
そして、ステップＳ１０３において、上記のようにして取得した各無線タグ回路素子Ｔoの識別情報を元に、記憶装置１２１Ｄのデータベースの上記基本ファイルＦ１にアクセスし、各識別情報に対応した平日・休日累積経過日数、平日・休日携行回数等を読み出す（そして一旦メモリ１２３に記憶させる）。
【００７０】
そして、ステップＳ１０４に移り、上記ステップＳ１０２で取得した無線タグ回路素子Ｔoの各識別情報について、群ファイルＦ２に対応する識別情報群が記憶されていればその識別情報群を構成する各識別情報と比較照合し、不足している物品があれば忘れ物と判断して利用者Ｌに通知（警告）するグループ（群）照合処理を行う。
【００７１】
上記グループ照合処理が終了したらステップＳ１０６に移り、今回取得した識別情報（今回利用者Ｌがバッグ１６内に携行している物品の識別情報）の累積経過日数と携行日数を１日ずつ増やした後、再び記憶装置１２１Ｄのデータベースにアクセスし、その新たな累積経過日数及び携行日数を基本ファイルＦ１に記載し（言い換えれば基本ファイルＦ１を上書き更新し）て記憶させる。なお、端末３００の記憶手段に記憶するようにしてもよい。
【００７２】
前述したように図９は前述の例に沿うと７月６日（水）の例を表しているが、翌７月７日（木）になると、図７に示したように、定期、財布、眼鏡、ポーチ、入門証、携帯電話それぞれに係わる識別情報「Mika0001」、「Mika0002」、「Mika0003」、「Mika0004」、「Mika0005」、「Mika0006」における平日累積経過日数を４から５に増加させる。またそのうちポーチ以外の定期、財布、眼鏡、入門証、携帯電話を携行していることから、それぞれに係わる識別情報「Mika0001」、「Mika0002」、「Mika0003」、「Mika0005」、「Mika0006」における平日携行日数を１つずつ（４→５、又は３→４）増加させて基本ファイルＦ１に記憶する処理を行う。なお、７月７日は平日であるから休日累積経過日数や休日携行日数は変化させない。
【００７３】
その後、ステップＳ１０８において、上記ステップＳ１０６で更新した後の基本ファイルＦ１に記憶されていた平日携行日数、平日累積経過日数、休日携行日数、休日累積経過日数をそれぞれ読み出し、頻度情報Ｃｎとして、平日携行率（＝平日携行日数／平日累積経過日数）及び休日携行率（＝休日携行日数／休日累積経過日数）を算出し、対応する識別情報と関連付けて基本ファイルＦ１に記憶する処理を行う。例えば前述の図９の例では（７月６日（水）現在）、定期、財布、眼鏡、ポーチ、入門証、携帯電話に係わる識別情報、「Mika0001」、「Mika0002」、「Mika0003」、「Mika0004」、「Mika0005」、「Mika0006」それぞれについての平日頻度情報Ｃｎｗは、Ｃｎｗ0001＝１（＝４／４）、Ｃｎｗ0002＝１（＝４／４）、Ｃｎｗ0003＝０．７５（＝３／４）、Ｃｎｗ0004＝０．２５（＝１／４）、Ｃｎｗ0005＝０．７５（＝３／４）、Ｃｎｗ0006＝１（＝４／４）となる。またそれぞれについての休日頻度情報Ｃｎｈは、Ｃｎｈ0001＝１（＝２／２）、Ｃｎｈ0002＝１（＝２／２）、Ｃｎｈ0003＝０（＝０／２）、Ｃｎｈ0004＝１（＝２／２）、Ｃｎｈ0005＝０（＝０／２）、Ｃｎｈ0006＝１（＝２／２）となる。
【００７４】
その後、ステップＳ１１０に移り、上記ステップＳ１０８で算出した上記平日頻度情報Ｃｎｗや休日頻度情報Ｃｎｈが、対応する平日頻度しきい値（例えば０．７５）や休日頻度しきい値（例えば０．５）以上であるか否かの判定を行う。頻度情報Ｃｎｗ，Ｃｎｈがそれぞれのしきい値未満である場合には判定が満たされず、そのままこのフローを終了する。頻度情報Ｃｎｗ，Ｃｎｈがそれぞれのしきい値以上である場合には、判定が満たされ、その識別情報の物品は利用者Ｌが平日（又は休日）に携行する可能性が高いものであるとみなされて、ステップＳ１１２に進む。なお、この例では、Ｃｎｗ，Ｃｎｈがしきい値以上の判定を行う前提として、平日については累積経過日数≧４、休日については累積経過日数≧２を前提としている。
【００７５】
ステップＳ１１２では、上記ステップＳ１１０で判定が満たされた（＝頻度情報Ｃｎｗ，Ｃｎｈがしきい値以上であった）識別情報を選択抽出した後、ステップＳ１１４に移って、それら抽出された識別情報を、互いにひとつの識別情報群として関連づける（＝群化する）群化処理を行う。具体的には、共通の識別子（前述の「Mika-weekday」等）を対応する基本ファイルＦ１の各データに書き込むとともに、その識別子をもつ群ファイルＦ２のデータ（各識別情報を含む）を新たに生成する（図８参照）。これら新たなデータは記憶装置１２１Ｄの基本ファイルＦ１及び群ファイルＦ２へ記憶され格納保持された後、このフローを終了する。
【００７６】
図１２は、上記ステップＳ１０４の詳細手順を表すフローチャートである。まず、ステップＳ２０２において、前述のステップＳ１０２にてメモリ１２３に記憶された無線タグ回路素子Ｔoの識別情報（「Mika0001」、「Mika0002」等）を読み出す。
【００７７】
その後、ステップＳ２０４において、記憶装置１２１Ｄのデータベースにアクセスし、上記ステップＳ２０２で読み出した識別情報に対応する識別情報群（構成要素として当該識別情報を含む識別情報群）を検索して抽出する。なお、このとき抽出された識別情報群の名称（識別子）を表示するための信号（抽出結果表示信号）を無線タグ情報通信装置１００側の上記表示部１４０（図５参照）に対し出力し、当該名称を表示するようにしてもよい（第１表示信号生成手段）。
【００７８】
その後、ステップＳ２０８において、上記ステップＳ２０２で読み出した識別情報（＝今回利用者Ｌが携行しているバッグ１６内に存在する物品の無線タグ回路素子Ｔoから取得した識別情報）と、上記ステップＳ２０４にて検索した（＝対応するものとしてヒットした）識別情報群を構成する全識別情報とを比較し、漏れている識別情報があるかどうかを判定する。漏れている識別情報がなければ（＝識別情報群を構成する全識別情報と一致すれば）判定が満たされず、忘れ物なしとみなされてこのルーチンを終了する。識別情報群から漏れている識別情報があれば、当該識別情報に対応する物品は忘れ物であるとみなされ、次のステップＳ２１０に移る。
【００７９】
ステップＳ２１０では、上記ステップＳ２０８で漏れていた識別情報に関し、前述の物品データベースにアクセスし、当該識別情報に対応する物品名等の物品情報を取得した後、音声又は表示を用いて不足物品として利用者Ｌに報知する。具体的には、例えば無線タグ情報通信装置１００の上記表示部１４０（図５参照）に制御信号（被関連識別情報信号）を出力して所定の（警告、点滅等の）表示を行うようにすれば良い（第３表示信号生成手段）。あるいは、音声駆動部に制御信号を出力して所定のアラーム音声鳴動等を行うようにしてもよい。さらには、第２アンテナ１２８を介し利用者Ｌの所持する携帯電話等に通信制御を行い、表示や音声出力等を行わせるようにしても良い。
【００８０】
以上において、制御回路１２０のＣＰＵ１２１が実行する図１１に示したフローのステップＳ１０２が、各請求項記載の、物品に関連して取り扱われる無線タグ回路素子の識別情報を、装置側アンテナを介した無線通信により取得する情報取得手段を構成する。また、ステップＳ１１２が、この情報取得手段で取得した複数の識別情報を、予め定められた条件が満たされるごとに自動的に少なくともひとつの識別情報群として関連付ける群化処理手段を構成し、ステップＳ１１４が、この群化処理手段で関連付けられた識別情報群又は各識別情報群を表す識別子を、出力する出力手段を構成する。
【００８１】
また、図１２に示したステップＳ２０４が、記憶手段に記憶された若しくは対応する識別子が記憶された複数の識別情報群のうち、新たに情報取得手段で取得された複数の識別情報に対応する識別情報群を検索し抽出する検索手段を構成する。
【００８２】
以上のように構成した本実施形態の無線タグ情報通信装置１００においては、上述したように、バック１６内の各物品に対し無線タグ回路素子Ｔoが添付等されており、例えば毎日の外出の都度、各無線タグ回路素子Ｔoの識別情報（「Mika0001」等）が無線通信によって無線タグ情報通信装置１００側にて取得される。このようにして複数の物品についての識別情報が日々取得されていき、ある日、それら複数の識別情報が所定の条件を満たすようになると（上記の例では頻度情報が所定のしきい値以上となると）、自動的にひとつの識別情報群として関連付けられ、データベースで群ファイルＦ２として書き込まれて記憶される（また基本ファイルＦ１の各識別情報データにも「Mika-weekday」等の識別子が書き込まれる。図１１のステップＳ１１２、ステップＳ１１４参照）。このように、次々と取得される識別情報を自動的に関連付けて群化し記憶させ蓄積することにより、その後新たに識別情報が取得された際（例えば翌日の外出の際）、当該識別情報を既に蓄積された群ファイルＦ２の識別情報群と照合する（図１２のステップＳ２０４参照）。そして、その識別情報群に共通に対応付けられる利用者Ｌ側の用途、状況等に基づき、今回取得された識別情報についてもその用途（＝例えば平日の外出等）に対応するものであると類推して、上記照合結果に応じて、出かけるときの忘れ物の存在の可能性を、利用者Ｌ側に表示し報知することができる（図１２のステップＳ２１０参照）。
【００８３】
このように、利用者Ｌ側が自ら入力や登録等の各種操作を行わなくても無線タグ情報通信装置１００側で自動的にデータ蓄積を行うとともに、その蓄積データを利用し先回りして利用者Ｌ側の用途等に適応した処理（上記の例では忘れ物検知及び警告）を実行してくれるので、利用者Ｌの負担や労力を大きくすることなく高い利便性で物品管理を行うことができる。
【００８４】
なお、上記の例において、出入り口１０の扉１２の開閉等を検知する手段を設けて、その検知信号を契機として（連動して）無線タグ情報通信装置１００の動作が開始される（例えば図１１のフローが開始される）ようにしてもよい。あるいは扉１２ではなく、キャビネットの扉等他の開閉手段と連動させてもよい。
【００８５】
また、上記の例では、外出する際の忘れ物検出及び警告を行う場合を例にとって説明したが、これに限られず、逆に帰宅の際の落とし物検出及び警告等に試用することもできる。また当該建造物を出入りする全人物に対して検出を行うようにすれば例えば夜間における盗難防犯等にも利用することも可能である。
【００８６】
さらに、上記実施形態で建造物入り口における忘れ物検知について本発明を適用した場合を例にとって説明したが、これに限られず、他の分野に適用してもよい。例えば、工場の材料搬入口に無線タグ情報通信装置１００を設置しておき、搬入材料の欠品を検出する場合や、小売店の商品搬入口に無線タグ情報通信装置１００を設置しておき、仕入れ商品の欠品を検出する場合等も考えられる。
【００８７】
また、上記では頻度情報検出を一日単位としたが、これに限られず、これより長い数日単位、数週間単位、一ヶ月単位、一年単位等とすることもできる。また逆に、上記より短い、半日単位、数時間単位、一時間単位、数十分単位、数分単位、数十秒単位等とすることもできる。この場合、小型化して例えば上記バッグ１６の中に無線タグ情報通信装置１００を配置する（無線タグ情報通信装置１００の通信機能やデータベース機能を携帯電話機や携帯パソコン等に持たせる）ことにより、外出先でもバッグ１６内の物品を短いサイクルで検出することができる。この場合、どこかでいずれかの物品を置き忘れた、落とした、盗難にあった等の場合に、その欠品状態を検知して報知することができるので、さらに利便性を向上できる。
【００８８】
以下、本発明の第２実施の形態を図面を参照しつつ説明する。本実施形態は、利用者Ｌが買い物を行うときの買い物用カートに入れた物品の検出に本発明を適用した場合の実施形態である。上記第１実施形態と同等の部分には同一の符号を付し、適宜説明を省略する。
【００８９】
図１３は、本実施形態の無線タグ情報通信装置１００が買い物用カート２０（物品の収納部材）に取り付けられている状態を示す斜視図である。本実施形態では、例えば利用者Ｌが販売店にて商品（物品）を買い物用カート２０内に入れて会計を実施する前に、買い物用カート２０内に存在する物品毎に関連して取り扱われる無線タグ回路素子Ｔoの識別情報を、買い物用カート２０に取り付けられている無線タグ情報通信装置１００が自動で取得する。そして、無線タグ情報通信装置１００は、当該販売店で買い物をする都度自動で取得した識別情報の中から所定条件（後述）に基づき識別情報群とされた識別情報の組み合わせ（言い換えれば物品の組み合わせ）と、現在買い物用カート２０内に存在する各物品の識別情報とを比較して、不足している物品を不足物品と、音声や表示を用いて、不足物品を買い忘れ品として利用者Ｌに通知するようになっている（詳細は後述）。なお、無線タグ情報通信装置１００には、利用者Ｌの認証を行うための例えばＩＣカード１８が設置可能である。なお、上記無線タグ情報通信装置１００はカート２０ではなく例えば利用者Ｌが通常持ち歩く適宜の携帯端末（パソコンや携帯電話等を含む）に設けても良い。
【００９０】
図１４は、無線タグ情報通信装置１００と、利用者Ｌのカート２０内に存在する物品に設けられた無線タグ回路素子との通信の様子を概念的に表す機能ブロック図であり、上記第１実施形態の図２に対応する図である。図１４において、カート２０内に、この例では、買い物対象物品であるカレー粉、牛肉、人参、ジャガイモ、玉ネギ等が入れられており、それらカレー粉、牛肉、人参、ジャガイモ、玉ネギには、上記同様の無線タグ回路素子Ｔoを備えた無線タグＴ１，Ｔ２，Ｔ３，Ｔ４，Ｔ５，…がそれぞれ関連して取り扱われる（添付、貼付、容器に取付、同梱等）ようになっている。
【００９１】
無線タグ情報通信装置１００は、上記第１実施形態と同様、アンテナ１３０（装置側アンテナ）と制御部１２０とを備え、この例では無線による通信ネットワークＮＷを介して、識別情報、識別情報群、識別子、カテゴリ情報等の各種情報を例えば当該販売店の部屋３０５内に設置した端末３００（この例では販売店サーバ）との間で送受信することが可能となっている。
【００９２】
この端末３００は、上記第１実施形態と同様、例えばパソコンで構成されており必要に応じて操作部から識別情報、識別情報群、識別子、カテゴリ等の各種情報を追加入力したり、修正入力することが可能となっている。またこの端末３００には、例えば上記各物品に添付等された無線タグＴ１〜Ｔ５等の作成時において、当該物品の物品情報（物品名称、カテゴリ情報等）とこれに対応する無線タグ回路素子Ｔoの識別情報（タグＩＤ）とが、関連づける形で格納保持された、データベース（物品情報データベース）を備えた記憶装置（図示せず）が設けられており、無線タグ情報通信装置１００側からアクセスすることで識別情報から物品情報を取得できるようになっている。なお、この物品情報データベースは端末３００内に限られず、ネットワークＮＷを介し接続された別の記憶装置内に設けても良い。
【００９３】
ここで、本実施形態の無線タグ情報通信装置１００は、利用者Ｌが買い物用カート２０内に入れた物品（カレー粉、ジャガイモ、玉ねぎ、牛肉等の物品）に関連して取り扱われた無線タグ回路素子Ｔoとアンテナ１３０を介して無線通信を行い、当該物品等をスキャン（探索）することで当該を購入するために買い物用カート２０内に入れたか否かを検出する。
【００９４】
そして、本実施形態の要部は、上記のような利用者Ｌの購入（予定）物品に係わる無線タグ回路素子Ｔoの識別情報（言い換えればそれら物品の物品データ）を、所定条件が満たされるごとに（詳細は後述）ひとつの識別情報群（言い換えれば物品情報群）として関連付け、このように関連付けられた複数の識別情報群を、書込み及び読み出しが可能な記憶装置１２１Ｄ（後述の図１６参照）等に書き込み記憶させることにある。以下、そのような詳細内容を順を追って説明する。
【００９５】
図１５は、本実施形態の無線タグ情報通信装置１００において、上記関連づけにより識別情報群を生成する手法原理を説明するための説明図である。図１５における例では７月１日（金）より当該無線タグ情報通信装置１００による処理を開始した状態を表しており、これ以降、各物品に対応した無線タグ回路素子Ｔoのサーチ結果に基づき検出された、各日における買い物物品の一覧が示されている。
【００９６】
すなわち、７月２日（土）、７月３日（日）、…、７月１４日（木）の行は、それぞれの日において利用者Ｌが買い物カート２０内に入れて購入した物品（この例では各種食材）の購入状況を表している（○はその物品を購入したことを表し、−はその物品を購入しなかったことを表している）。
【００９７】
例えば７月１日（金）には、利用者Ｌはカレー粉、牛肉、人参、ジャガイモ、玉ネギを購入している。そして、この７月１日の購入物品が検出された段階で、所定の条件（詳細は後述）が満たされ、これらカレー粉、牛肉、人参、ジャガイモ、玉ネギにそれぞれ対応する無線タグ回路素子Ｔoの識別情報（タグＩＤ）が関連づけられて識別情報群「Suzuki-ビーフカレー」が形成され、これ以降は、これらカレー粉、牛肉、人参、ジャガイモ、玉ネギの組み合わせに類似する（詳細は後述）物品購入時にはこの識別情報群「Suzuki-ビーフカレー」の各要素である識別情報との比較が行われ、不足分がある際には所定の警報が行われる。この例では、７月３日（月）の買い物の際に玉ネギに対応する無線タグ回路素子Ｔoの検出がなく、警告が行われている。このときはこの警告に対応し、利用者Ｌによってこの日は購入しない旨の意思表示（操作入力、後述）が行われている。
【００９８】
また、７月２日（土）には、利用者Ｌは玉ネギ、パスタ、ベーコン、生クリームを購入している。そして、この７月２日の購入物品が検出された段階で、所定の条件（詳細は後述）が満たされ、これら玉ネギ、パスタ、ベーコン、生クリームにそれぞれ対応する無線タグ回路素子Ｔoの識別情報（タグＩＤ）が関連づけられて識別情報群「Suzuki-カルボナーラ」が形成され、これ以降は、これら玉ネギ、パスタ、ベーコン、生クリームの組み合わせに類似する（詳細は後述）物品購入時にはこの識別情報群「Suzuki-カルボナーラ」の各要素である識別情報との比較が行われ、不足分がある際には所定の警報が行われる。この例では、７月７日（月）の買い物の際に生クリームに対応する無線タグ回路素子Ｔoの検出がなく、警告が行われている。このときはこの警告に対応し、利用者Ｌが生クリームも併せて購入している。
【００９９】
また同様に、７月５日（土）には、利用者Ｌはカレー粉、玉ネギ、エビ、ホタテ、キノコを購入している。そして、この７月５日の購入物品が検出された段階で、所定の条件（詳細は後述）が満たされ、これらカレー粉、玉ネギ、エビ、ホタテ、キノコにそれぞれ対応する無線タグ回路素子Ｔoの識別情報（タグＩＤ）が関連づけられて識別情報群「Suzuki-シーフードカレー」が形成され、これ以降は、これらカレー粉、玉ネギ、エビ、ホタテ、キノコの組み合わせに類似する（詳細は後述）物品購入時にはこの識別情報群「Suzuki-シーフードカレー」の各要素である識別情報との比較が行われ、不足分がある際には所定の警報が行われる。
【０１００】
なお、この例では平日（第１の日付情報）と休日（第２の日付情報）とで特に上記識別情報群の処理について分けていないが、上記第１の実施形態と同様、それら平日と休日とで行動パターンや料理献立パターンが異なるという前提に立って、それぞれにおいて識別情報群の処理を分けてもよいし、さらにこれに限られず、他の日付情報（夏休み期間とそれ以外、年末年始・お盆・ゴールデンウィークとそれ以外等）で分けてもよい。
【０１０１】
図１６は、無線タグ情報通信装置１００の制御部１２０におけるＣＰＵ１２１の機能的構成を表す機能ブロック図であり、上記第１の実施形態の図８に対応する図である。図１６において、ＣＰＵ１２１は、上記第１の実施形態と同様、タグサーチ部１２１Ａ、データ記録部１２１Ｂ、データ検索部１２１Ｃ、記憶装置１２１Ｄ（記憶手段）、本人認証部１２１Ｅを備えている。
【０１０２】
記憶装置１２１Ｄ内には、上記第１実施形態同様、各物品ごとに構成されたデータを収納した基本ファイルＦ１、群化処理されて他の識別情報と関連づけられて識別情報群とされた場合にその識別情報群ごとに構成されたデータを収納した群ファイルＦ２が備えられている。
【０１０３】
この例では、基本ファイルＦ１は、例えば、上記カレー粉に関連づけられた無線タグＴ１に係わるデータには、当該無線タグ回路素子Ｔoの識別情報「1001」、物品名称「カレー粉」、カテゴリ「カレー」、及び後述のように群化処理されて他の識別情報と関連づけられて識別情報群とされた場合にはその識別情報群の名称（＝識別子）「Suzuki-ビーフカレー」「Suzuki-シーフードカレー」等が記録されている。その他、牛肉、人参、ジャガイモ、玉ネギ等に関連づけられる上記無線タグＴ２，Ｔ３，Ｔ４，Ｔ５等についても、上記同様、それぞれの無線タグ回路素子Ｔoの識別情報「1002」「1003」「1004」「1005」、物品名称「牛肉」「人参」「ジャガイモ」「玉ネギ」等が互いに関連づけられて記録されている。なお、このデータベースは、ＣＰＵ１２１の記憶装置１２１Ｄ内に設けず、別の箇所、例えば通信ネットワークＮＷを介して装置１００外に設けても良いし、上記端末３００内に設けても良い。
【０１０４】
群ファイルＦ２には、上記識別子「Suzuki-ビーフカレー」のデータには、当該グループを構成する識別子及びこれに対応する物品名、すなわち、「カレー粉  1001」、「牛肉  1002」、「人参  1003」、「ジャガイモ  1004」、「玉ネギ  1005」が互いに関連付けられて記憶されている。また上記識別子「Suzuki-シーフードカレー」のデータには、当該グループを構成する識別子及びこれに対応する物品名、すなわち、「カレー粉  1001」、「玉ネギ  1005」、「エビ  1006」、「ホタテ  1007」、「キノコ  1008」が互いに関連付けられて記憶されている。さらに上記識別子「Suzuki-カルボナーラ」のデータには、当該グループを構成する識別子及びこれに対応する物品名、すなわち、「玉ネギ  1005」、「パスタ  1009」、「ベーコン  1010」、「生クリーム  1011」が互いに関連付けられて記憶されている。
【０１０５】
なお、群ファイルＦ２に、無線タグ情報通信装置１００で自ら群化処理して形成した識別情報群以外にも、典型的なパターンとして、予め少なくとも１つの識別情報群（例えば識別子「カレー一般」、「スパゲティー一般」で表されるもの等）が例えば書き換え不能にプリセットされていてもよい。あるいはそれらプリセットされた識別情報群に対し検索抽出を行って対応するものを読み出した後、それをもとに無線タグ情報通信装置１００が適宜の修正を行って、新たな識別情報群を形成していくようにしても良い。
【０１０６】
図１７は、上記基本ファイルＦ１における記憶内容の例を一覧して示す図であり、上記第１の実施形態の図９に相当する図である。前述したように、各物品に係わる識別情報と、これに対応する物品名、カテゴリ、所属する上記識別情報群の名称（識別子）等とが関連づけられることとなる。
【０１０７】
図１８は、上記群ファイルＦ２における記憶内容の例を一覧して示す図であり、上記第１実施形態の図１０に対応する図である。前述したように、各識別情報群に係わる識別子（「Suzuki-ビーフカレー」「Suzuki-シーフードカレー」「Suzuki-カルボナーラ」等）と、これに対応する各物品の識別番号とが関連付けられることとなる。
なお、この群ファイルＦ２の各データは、上述したように、所定条件を満たした群化処理によって利用者Ｌ固有のものを作成したものであってもよい。販売店側で予め作成しておいた汎用のものであってもよいし、この汎用のものを利用者Ｌが編集あるいは購入挙動によって修正したものであってもよい。
【０１０８】
図１９は、本実施形態における上記無線タグ情報通信装置１００に備えられたＣＰＵ１２１が実行する制御手順を表すフローチャートであり、上記第１の実施形態の図１１に相当する図である。
【０１０９】
図１９において、まずステップＳ４００で、上記図１１のステップＳ１００同様、例えば利用者Ｌが無線タグ情報通信装置１００の所定の箇所にＩＣカード１８を設置することにより、本人認証制御部１２６及び第２アンテナ１２８を介し無線通信による信号送受を行い、そのＩＣカード１８（あるいは携帯電話等、それ以外の本人認証手段でも良い）に関する本人認証処理（利用者認証処理）を行う。なお、この場合ＩＣカード１８としては、販売店が発行する会員カード、ポイントカード等でもよい。これにより、利用者情報（例えば「SUZUKI」）が読み出されて取得される。
【０１１０】
その後、ステップＳ４０２に移り、利用者Ｌがカート２０内に入れた物品に取り付けられている無線タグ回路素子Ｔoの識別情報（タグＩＤ）を読み取って取得する。すなわち、アンテナ１３０より通信距離範囲内（言い換えればカート２０内）の無線タグ回路素子Ｔoに対する呼びかけ信号であるScroll ALL ID信号（無条件情報取得命令。又は前述したようにPing信号等の探索命令等でも良い）を出力し、サーチ対象であるカート２０内の全無線タグ回路素子Ｔoからのリプライ信号の返信を促す。上記「Scroll
ALL ID」信号等に対応してサーチ対象の無線タグ回路素子Ｔoから送信された返答信号（＝リプライ信号）はアンテナ１３０で受信され、上記受信部２１３を介しＣＰＵ１２１に取り込む（その後メモリ１２３に記憶する）。なお、上記ステップＳ４００が終了したらステップＳ４０２において（特に利用者Ｌの操作なく）自動的に上記のように（通信範囲内の）読み取り処理を行うようにすることで、利用者Ｌによる読み取り操作等の入力が不要となり、利用者Ｌの負担や労力を低減することができる。
【０１１１】
そして、ステップＳ５００に移り、上記ステップＳ４０２で取得した無線タグ回路素子Ｔoの各識別情報について、群ファイルＦ２に対応する識別情報群が記憶されていればその識別情報群を構成する各識別情報と比較照合し、不足している物品があれば買い忘れかどうかの検討の必要有りと判断して利用者Ｌに通知（警告）するグループ（群）照合処理を行う。
【０１１２】
その後、ステップＳ４１２において、上記照合によって所定条件が満たされた（この例では後述のように同一のカテゴリの複数物品がカート２０内に投入されたとき）識別情報を選択抽出した後、ステップＳ４１４に移って、それら抽出された識別情報を、互いにひとつの識別情報群として関連づける（＝群化する）群化処理を行う。具体的には、前述の利用者情報を用いた共通の識別子（前述の「Suzuki-ビーフカレー」等）を対応する基本ファイルＦ１の各データに書き込むとともに、その識別子をもつ群ファイルＦ２のデータ（各識別情報を含む）を新たに生成する（図１６参照）。これら新たなデータは記憶装置１２１Ｄの基本ファイルＦ１及び群ファイルＦ２へ記憶され格納保持された後、このフローを終了する。
【０１１３】
図２０は、上記ステップＳ５００の詳細手順を表すフローチャートである。まず、ステップＳ５０２において、図１２のステップＳ２０２と同様、前述のステップＳ４０２にてメモリ１２３に記憶された無線タグ回路素子Ｔoの識別情報（「1001」、「1002」等）を読み出す。
【０１１４】
その後、ステップＳ５０４において、前述のステップＳ２０４と同様、記憶装置１２１Ｄのデータベースにアクセスし、上記ステップＳ５０２で読み出した識別情報に対応する識別情報群（構成要素として当該識別情報を含む識別情報群）をすべて検索して抽出する。なお、このとき抽出された識別情報群の名称（識別子）を表示するための信号（抽出結果表示信号）を無線タグ情報通信装置１００の上記表示部１４０（図５参照）に対し出力し、当該名称を表示するようにしてもよい（第１表示信号生成手段）。
【０１１５】
そして、ステップＳ５０５において、上記ステップＳ５０２で読み出した識別情報（＝今回利用者Ｌが利用しているカート２０内に存在する物品の無線タグ回路素子Ｔoから取得した識別情報）と、上記ステップＳ５０４にて検索した（＝対応するものとしてヒットした）識別情報群を構成する全識別情報とを比較し、各識別情報群ごとに、それを構成する複数の識別情報のうち所定割合（例えばこの例では７０％）の識別情報が上記ステップＳ５０２で読み出した識別情報と一致するかどうかを判定する。
【０１１６】
なおこのときの一致判定は、前述のカテゴリ情報を用いて、各カテゴリごとに行う。例えば図１５に示す例では、７月９日（土）において、利用者Ｌは、カレー粉（識別番号1001、カテゴリ「カレー」、所属する識別情報群「ビーフカレー」「シーフードカレー」）、玉ネギ（識別番号1005、カテゴリ「カレー」「パスタ」、所属する識別情報群「ビーフカレー」「シーフードカレー」「カルボナーラ」）、エビ（識別番号1006、カテゴリ「カレー」、所属する識別情報群「シーフードカレー」）、ホタテ（識別番号1007、カテゴリ「カレー」、所属する識別情報群「シーフードカレー」）、キノコ（識別番号1008、カテゴリ「カレー」、所属する識別情報群「シーフードカレー」）、パスタ（識別番号1009、カテゴリ「パスタ」、所属する識別情報群「カルボナーラ」）、ベーコン（識別番号1010、カテゴリ「パスタ」、所属する識別情報群「カルボナーラ」）、生クリーム（識別番号1011、カテゴリ「パスタ」、所属する識別情報群「カルボナーラ」）を購入している。
【０１１７】
この場合、上記ステップＳ５０５では、まず「カレー」のカテゴリに属するカレー粉（識別番号1001）、玉ネギ（識別番号1005）、エビ（識別番号1006）、ホタテ（識別番号1007）、キノコ（識別番号1008）について、上記ステップＳ５０４にてヒットした各識別情報群ごとに、７０％の識別情報が一致するかどうかを判定する。この場合、図１６に示したように、これらカレー粉、玉ネギ、エビ、ホタテ、キノコはまさに「Suzuki-シーフードカレー」に属する識別情報と１００％一致する（なお、これらカレー粉、玉ネギ、エビ、ホタテ、キノコの場合「Suzuki-ビーフカレー」に属する識別情報に対してはカレー粉と玉ネギの４０％しか一致せず、該当しない）ので、まずカテゴリ「カレー」のこれら識別情報についてステップＳ５０５の判定が満たされる。なおこの場合、判定基準が前述のように７０％以上であるので、利用者Ｌがどれか１つ（例えばキノコ）をこの時点でカート２０に投入していなかったとしても、ステップＳ５０５の判定は（８０％でクリアするので）満たされることとなる。
【０１１８】
一方、上記ステップＳ５０５ではまた、「パスタ」のカテゴリに属する玉ネギ（識別番号1005）、パスタ（識別番号1009）、ベーコン（識別番号1010）、生クリーム（識別番号1011）についても、上記ステップＳ５０４にてヒットした各識別情報群ごとに、７０％の識別情報が一致するかどうかを判定する。この場合、図１６に示したように、これら玉ネギ、パスタ、ベーコン、生クリームはまさに「Suzuki-カルボナーラ」に属する識別情報と１００％一致するので、カテゴリ「パスタ」のこれら識別情報についてもステップＳ５０５の判定が満たされる。なおこの場合、判定基準が前述のように７０％以上であるので、利用者Ｌがどれか１つ（例えば生クリーム）をこの時点でカート２０に投入していなかったとしても、ステップＳ５０５の判定は（７５％でクリアするので）満たされることとなる。
【０１１９】
このように、２つの異なる献立あるいはカテゴリにわたる食材がカート２０内に混在している場合でも、それぞれに対応して識別情報の一致を判定できるようにすることにより、新たに取得された識別情報が比較的多数であったりあるいはそのために複数の識別情報群にわたるものであったりした場合でも、的外れな検索や抽出を行ったりエラーとなってしまうのを回避しつつ、素早い円滑な処理を実行することができる。
【０１２０】
なお、上記ステップＳ５０５において、前述のように所定の割合以上の一致とせずに、所定の品目数量以上一致しているかどうかを判定するようにしてもよい。あるいはこのステップＳ５０５において、今回取得した識別情報（今回利用者Ｌが買い物用カート２０内に入れた物品の識別情報）の組み合わせと、群ファイルＦ２に記憶されている各識別情報群の各構成要素（識別情報）とを比較算出し、上記７０％のようなあてはまりの確からしさを上記表示部１４０に表示させるようにしてもよい（第２表示信号生成手段）。この場合、新たに取得された識別情報の属する識別情報群を類推した際の、例えばその類推の該当確率や根拠等を利用者Ｌ側に通知することができる。
【０１２１】
以上のようにしてステップＳ５０５の判定が満たされたらステップＳ５０６に移る。ステップＳ５０５の判定が満たされない場合、このルーチンを終了する。
【０１２２】
ステップＳ５０６では、ステップＳ５０５において判定が満たされた（すなわち群ファイルＦ２のデータと所定割合以上の合致した）識別情報について、カテゴリごとに、対応する料理名ごとに分別する。前述した例では、カレー粉（識別番号1001、カテゴリ「カレー」）、玉ネギ（識別番号1005、カテゴリ「カレー」「パスタ」、）、エビ（識別番号1006、カテゴリ「カレー」）、ホタテ（識別番号1007、カテゴリ「カレー」）、キノコ（識別番号1008、カテゴリ「カレー」）、パスタ（識別番号1009、カテゴリ「パスタ」）、ベーコン（識別番号1010、カテゴリ「パスタ」）、生クリーム（識別番号1011、カテゴリ「パスタ」）を、「カレー」のカテゴリに属し上記のように「Suzuki-シーフードカレー」に属するカレー粉（識別番号1001）、玉ネギ（識別番号1005）、エビ（識別番号1006）、ホタテ（識別番号1007）、キノコ（識別番号1008）と、「パスタ」のカテゴリに属し上記のように「Suzuki-カルボナーラ」に属する玉ネギ（識別番号1005）、パスタ（識別番号1009）、ベーコン（識別番号1010）、生クリーム（識別番号1011）に分別処理する。
【０１２３】
その後、ステップＳ５０７に移り、記憶装置１２１Ｄのデータベースにアクセスし、上記ステップＳ５０５、ステップＳ５０６で所定割合（上記の例では７０％）が一致するものとしてリストアップした識別情報群（前述の例では「シーフードカレー」「カルボナーラ」）について、その全構成要素の識別情報（言い換えれば全物品）を読み出す。これにより、前述の例では「Suzuki-シーフードカレー」を構成する「カレー粉  1001」、「玉ネギ  1005」、「エビ  1006」、「ホタテ  1007」、「キノコ  1008」と、「Suzuki-カルボナーラ」を構成する「玉ネギ  1005」、「パスタ  1009」、「ベーコン  1010」、「生クリーム  1010」とがそれぞれ組となった形で読み出される。
【０１２４】
その後、ステップＳ５０８において、上記ステップＳ５０２で読み出した識別情報（＝今回利用者Ｌが利用しているカート２０内に存在する物品の無線タグ回路素子Ｔoから取得した識別情報）と、上記ステップＳ５０７にて読み出した、識別情報群を構成する全識別情報とを比較し、漏れている識別情報があるかどうかを判定する。漏れている識別情報がなければ（＝識別情報群を構成する全識別情報と一致すれば）判定が満たされず、買い忘れ等による欠品なしとみなされてこのルーチンを終了する。
【０１２５】
一方、ステップＳ５０８において識別情報群から漏れている識別情報があれば、当該識別情報に対応する物品は買い忘れ等の可能性があるとみなされ、次のステップＳ５１０に移る。
【０１２６】
ステップＳ５１０では、上記ステップＳ５０８で漏れていた識別情報に関し、前述の物品データベースにアクセスし、当該識別情報に対応する物品名等の物品情報を取得した後、音声又は表示を用いて不足物品として利用者Ｌに報知する。
【０１２７】
これにより、例えば前述したように、利用者Ｌが「Suzuki-シーフードカレー」を構成するカレー粉、玉ネギ、エビ、ホタテ、キノコのどれか１つ（例えばキノコ）をこの時点でカート２０に投入していなかった場合には、ステップＳ５０５の判定は（８０％でクリアするので）満たされるものの、ステップＳ５０８で当該キノコが漏れているものして認識され、ステップＳ５１０でその旨が利用者Ｌに報知されることとなる。あるいは同様に、利用者Ｌが「Suzuki-カルボナーラ」を構成する玉ネギ、パスタ、ベーコン、生クリームのどれか１つ（例えば生クリーム）をこの時点でカート２０に投入していなかった場合には、ステップＳ５０５の判定は（７５％でクリアするので）満たされるものの、ステップＳ５０８で当該生クリームが漏れているものして認識され、ステップＳ５１０でその旨が利用者Ｌに報知されることとなる。
【０１２８】
なお、具体的な報知方法としては、例えば無線タグ情報通信装置１００の上記表示部１４０（図５参照）に制御信号（被関連識別情報信号）を出力して所定の（警告、点滅等の）表示を行うようにすれば良い（第３表示信号生成手段）。あるいは、音声駆動部に制御信号を出力して所定のアラーム音声鳴動等を行うようにしてもよい。さらには、第２アンテナ１２８を介し利用者Ｌの所持する携帯電話等に通信制御を行い、表示や音声出力等を行わせるようにしても良い。
【０１２９】
その後、ステップＳ６００に移り、利用者Ｌに通知した不足品目について、不足品目を買い足したか、今回不足品目の購入を見合わせるか、今後不足品目の通知が不要であるので群ファイルＦ２から削除するかの判別を含む不足物品確認処理を行い、このルーチンを終了する。
【０１３０】
図２１は、上記ステップＳ６００の詳細手順を表すフローチャートである。なお、このフローは、例えば利用者Ｌが買い物用カート２０内に物品を入れてレジで会計する直前に（レジから適宜の信号を受信する等により）開始するようにすればよい。
【０１３１】
まず、ステップＳ６０２において、前述の図２０におけるステップＳ５１０に対応して、利用者Ｌが「今回は不足物品を購入しない」旨の適宜の操作（キーやボタン等の操作）を操作部１１０で行ったか否かを判断する。利用者Ｌが、表示部１４０に表示されている不足物品の品目を承知の上で、当該物品は既に購入済みで家にあるために今回購入しないこととして上記「今回は不足物品を購入しない」旨を操作入力した場合、上記ステップＳ６０２の判定が満たされてこのルーチンを終了する。前述の図１５に示した例では、例えば７月３日（日）の場合がこれに該当し、識別情報群「Suzuki-ビーフカレー」の各要素である識別情報との比較を行ったときに、玉ネギに対応する無線タグ回路素子Ｔoの検出がなく警告が行われ、例えば前日及び前々日にも玉ネギを購入しており家に残りがあった等の理由により利用者Ｌはこの日は購入しない旨の操作入力を行っている。
【０１３２】
一方、利用者Ｌが操作部１１０にて上記「不足物品を購入しない」旨の操作入力を行わなかった場合には、次のステップＳ６０４に進む。ステップＳ６０４では、利用者Ｌが「不足品目を群ファイルＦ２のデータから削除する」旨の適宜の操作（キーやボタン等の操作）を操作部１１０で行ったか否かを判断する。利用者Ｌが、例えば当該品目についてはもう今後は購入しないこととして上記「不足品目を群ファイルＦ２のデータから削除する」旨を入力した場合、ステップＳ６０４の判定が満たされてステップＳ６０６に移る。前述の図１５に示した例では、例えば７月１１日（月）の場合がこれに該当し、識別情報群「Suzuki-ビーフカレー」の各要素である識別情報との比較を行ったときに、人参に対応する無線タグ回路素子Ｔoの検出がなく警告が行われ、例えば野菜の値段の変化、味付けの嗜好の変化等に沿って材料を（この例ではピーマンに）変更した等の理由により、利用者Ｌは今後識別情報群「Suzuki-ビーフカレー」の要素の１つである人参をピーマンを削除する旨の操作入力を行っている。
【０１３３】
ステップＳ６０６では、この時点で読み出している対応する識別情報群の構成要素（各識別情報）から、不足品目として利用者Ｌに通知している当該物品の識別情報を削除する。このとき、この削除によって内容が変化した当該識別情報群の名称（識別子）を変えるようにしても良い。特に、前述のようにプリセットされている識別情報群に対しこのような識別情報の削除を行った場合は利用者Ｌ固有の料理名として新たに登録すれば、利用者Ｌ固有の識別情報群のデータをこの時点で学習により生成することができ、効果的である。
【０１３４】
一方、ステップＳ６０４において、利用者Ｌが上記「不足品目を群ファイルＦ２のデータから削除する」旨を入力しなかった場合、ステップＳ６０４の判定が満たされず、ステップＳ６０７に移る。ステップＳ６０７では、前述のステップＳ４０２と同様、カート２０内の物品の無線タグ回路素子Ｔoの識別情報を読み取って取得した後、ステップＳ６０８に移る。
【０１３５】
ステップＳ６０８では、上記ステップＳ６０７での読み取り結果に応じ、前述の不足物品が買い物用カート２０内に追加投入されたかどうかを判定する。利用者Ｌが表示部１４０に表示されている不足物品の品目を承知して、（買い忘れに気づいて）当該物品を追加して買い物用カート２０内に新たに投入した場合は当該物品の識別情報がＣＰＵ１２１側で取得されるのでこの判定が満たされ、このルーチンを終了する。前述の図１５に示した例では、例えば７月７日（木）の場合がこれに該当し、識別情報群「Suzuki-カルボナーラ」の各要素である識別情報との比較を行ったときに、生クリームに対応する無線タグ回路素子Ｔoの検出がなく警告が行われ、利用者Ｌは生クリームを追加購入している。
【０１３６】
一方、上記のような不足物品の買い物用カート２０内への追加投入がない間はステップＳ６０８の判定が満たされずステップＳ６１０に移り、所定の時間ＴＷが経過するまでは判定が満たされず、上記ステップＳ６０２に戻って同様の手順を繰り返す。所定の時間が経過した（＝タイムアウト）の場合には、ステップＳ６１０の判定が満たされて、このルーチンを終了する。
【０１３７】
以上のようにして、図２１に示すルーチンでは、利用者Ｌに通知した不足品目について、不足品目を買い足したか、今回不足品目の購入を見合わせるか、今後不足品目の通知が不要であるので群ファイルＦ２のデータから削除するかの３つの対応のうちいずれを利用者Ｌが選択したかの判別を行う。
【０１３８】
以上において、制御回路１２０のＣＰＵ１２１が実行する図１９に示したフローのステップＳ４０２及び図２１のステップＳ６０７が、各請求項記載の、物品に関連して取り扱われる無線タグ回路素子の識別情報を、装置側アンテナを介した無線通信により取得する情報取得手段を構成する。また、図１９のステップＳ４１２が、この情報取得手段で取得した複数の識別情報を、予め定められた条件が満たされるごとに自動的に少なくともひとつの識別情報群として関連付ける群化処理手段を構成し、ステップＳ４１４が、この群化処理手段で関連付けられた識別情報群又は各識別情報群を表す識別子を、出力する出力手段を構成する。
【０１３９】
また、図２０に示したステップＳ５０４が、記憶手段に記憶された若しくは対応する識別子が記憶された複数の識別情報群のうち、新たに情報取得手段で取得された複数の識別情報に対応する識別情報群を検索し抽出する検索手段を構成する。
【０１４０】
以上のように構成した本実施形態の無線タグ情報通信装置１００においては、上述したように、カート２０内の各物品に対し無線タグ回路素子Ｔoが添付等されており、例えば買い物の都度、各無線タグ回路素子Ｔoの識別情報（「1001」等）が無線通信によって無線タグ情報通信装置１００側にて取得され、それら複数の識別情報が所定の条件を満たすようになると（上記の例では同一カテゴリの複数の物品がカート２０内に投入されると）、自動的にひとつの識別情報群として関連付けられ、データベースで群ファイルＦ２として書き込まれて記憶される（また基本ファイルＦ１の各識別情報データにも「Suzuki-ビーフカレー」等の識別子が書き込まれる。図１９のステップＳ４１２参照）。このように、取得される識別情報を自動的に関連付けて群化し記憶させ蓄積することにより、その後新たに識別情報が取得された際（例えばその後の買い物の際）、当該識別情報を既に蓄積された群ファイルＦ２の識別情報群と照合する（図２０のステップＳ５０４参照）。そして、その識別情報群に共通に対応付けられる利用者Ｌ側の用途（料理献立）等に基づき、今回取得された識別情報についてもその用途（＝例えば同一のメニュー等）に対応するものであると類推して、上記照合結果に応じて、買い忘れ品の存在の可能性を、利用者Ｌ側に表示し報知することができる（図２０のステップＳ５１０参照）。
【０１４１】
このように、利用者Ｌ側が自ら入力や登録等の各種操作を行わなくても無線タグ情報通信装置１００側で自動的にデータ蓄積を行うとともに、その蓄積データを利用し先回りして利用者Ｌ側の用途等に適応した処理（上記の例では買い忘れ検知及び警告）を実行してくれるので、利用者Ｌの負担や労力を大きくすることなく高い利便性で物品管理を行うことができる。
【０１４２】
また、本実施形態では特に、無線タグ情報通信装置１００をカート２０に設けたことにより、物品がカート２０へ投入されたりとり出された場合に速やかに応答して処理できる。また表示部１４０によって個々の利用者Ｌそれぞれに個別に各種情報を提供できるという効果もある。
【０１４３】
また、本実施形態では特に、前述多様に「カレー一般」「スパゲティー一般」等として予め記憶装置１２１Ｄ（又は販売店サーバ３００の記憶手段）に蓄積されたプリセット識別情報群を利用可能とすることにより、例えば、稼動初期にてデータ蓄積が必ずしも十分でないときでも、当該記憶手段に典型例として用意されたそれらプリセット識別情報群を用いて円滑に検索抽出及びその後の処理を行うことができる。
【０１４４】
なお、上記第２の実施形態では、上記第１の実施形態と異なり、同一カテゴリの複数物品を同一の買い物機会で１度購入したらそれらを群化処理した（図１９のステップＳ４１２参照）が、これに限られず、複数回の購入を条件としても良い。いずれにしても、（１回の回数頻度も含む）所定の回数や頻度条件に達したら（言い換えれば上記情報取得繰り返し回数が所定の条件に達したら）上記群化処理を行うようにすればよい。
【０１４５】
また、上記実施形態では、図２１に示すフローのステップＳ６０６である識別情報群に属する識別情報を削除操作可能とすることで、効果的に利用者Ｌのオリジナルメニューを作成できることとしたが、これに限られない。逆に、ある識別情報群に属する全構成要素の識別情報に対し、同一のカテゴリに属する別の識別情報を追加することで利用者Ｌのオリジナルメニューを作成できるようにしてもよい。このようにすればさらに利便性の点で効果的である。
【０１４６】
なお、以上で用いた「Scroll All ID」、「Scroll ID」、「Ping」等の信号及びコマンドは、ＥＰＣ  ｇｌｏｂａｌが策定した仕様に準拠しているものとする。ＥＰＣ  ｇｌｏｂａｌは、流通コードの国際機関である国際ＥＡＮ協会と、米国の流通コード機関であるＵｎｉｆｏｒｍｅｄ  Ｃｏｄｅ  Ｃｏｕｎｃｉｌ（ＵＣＣ）が共同で設立した非営利法人である。なお、他の規格に準拠した信号でも、同様の機能を果たすものであればよい。
【０１４７】
その他、一々例示はしないが、本発明は、その趣旨を逸脱しない範囲内において、種々の変更が加えられて実施されるものである。
【図面の簡単な説明】
【０１４８】
【図１】本発明の第１の実施形態の無線タグ情報通信装置を建造物の出入口近傍に設けた状態を示す外観図である。
【図２】無線タグ情報通信装置と、利用者のバッグ内に存在する物品に設けられた無線タグ回路素子との通信の様子を概念的に表す機能ブロック図である。
【図３】端末と無線タグ情報通信装置の接続構成を概略的に表す図である。
【図４】利用者のバッグ内に存在する物品に関連する無線タグに備えられた各無線タグ回路素子の機能的構成の一例を表すブロック図である。
【図５】無線タグ情報通信装置に備えられた制御部の機能的構成の詳細を表す機能ブロック図である。
【図６】タグ通信制御部及びアンテナの詳細構成を表す機能ブロック図である。
【図７】無線タグ情報通信装置において識別情報群を生成する手法原理を説明するための説明図である。
【図８】無線タグ情報通信装置の制御部におけるＣＰＵの機能的構成を表す機能ブロック図である。
【図９】基本ファイルの記憶内容の例を一覧して示す図である。
【図１０】基本ファイルの記憶内容の例を一覧して示す図である。
【図１１】無線タグ情報通信装置に備えられたＣＰＵが実行する制御手順を表すフローチャートである。
【図１２】図１１のステップＳ１０４の詳細手順を表すフローチャートである。
【図１３】本発明の第２の実施形態の無線タグ情報通信装置が買い物用カートに取り付けられている状態を示す斜視図である。
【図１４】無線タグ情報通信装置と、利用者のカート内に存在する物品に設けられた無線タグ回路素子との通信の様子を概念的に表す機能ブロック図である。
【図１５】無線タグ情報通信装置において識別情報群を生成する手法原理を説明するための説明図である。
【図１６】無線タグ情報通信装置の制御部におけるＣＰＵの機能的構成を表す機能ブロック図である。
【図１７】基本ファイルにおける記憶内容の例を一覧して示す図である。
【図１８】群ファイルにおける記憶内容の例を一覧して示す図である。
【図１９】無線タグ情報通信装置に備えられたＣＰＵが実行する制御手順を表すフローチャートである。
【図２０】図１９のステップＳ５００の詳細手順を表すフローチャートである。
【図２１】図２０のステップＳ６００の詳細手順を表すフローチャートである。
【符号の説明】
【０１４９】
１０            出入口
１６            バッグ
２０            買い物用カート（物品の収納部材）
１００          無線タグ情報通信装置
１１０          操作部
１２０          制御部
１２１          ＣＰＵ
１２１Ｄ        記憶手段
１２３          メモリ
１２４          タグ通信制御部
１４０          表示部
１３０          アンテナ（装置側アンテナ）
１５０          ＩＣ回路部
１５１          アンテナ（タグ側アンテナ）
３００          端末
Ｔ１〜６        無線タグ
Ｔo             無線タグ回路素子
【図１】
0004640592.tif 000002
【図２】
0004640592.tif 000003
【図３】
0004640592.tif 000004
【図４】
0004640592.tif 000005
【図５】
0004640592.tif 000006
【図６】
0004640592.tif 000007
【図７】
0004640592.tif 000008
【図８】
0004640592.tif 000009
【図９】
0004640592.tif 000010
【図１０】
0004640592.tif 000011
【図１１】
0004640592.tif 000012
【図１２】
0004640592.tif 000013
【図１３】
0004640592.tif 000014
【図１４】
0004640592.tif 000015
【図１５】
0004640592.tif 000016
【図１６】
0004640592.tif 000017
【図１７】
0004640592.tif 000018
【図１８】
0004640592.tif 000019
【図１９】
0004640592.tif 000020
【図２０】
0004640592.tif 000021
【図２１】
0004640592.tif 000022